(57)【要約】本開示は、被験者の外傷性脳損傷、眼球構造に対する損傷、または内耳に対する損傷を、有害な事象の前及び有害な事象の間に１つ以上の頸静脈に圧力を印加することによって軽減するためのシステム、装置、及び関連方法を提供する。
2019513030.tif 000002
【特許請求の範囲】
【請求項１】
システムにおいて、
（ｉ）ヒトの頸部の回りに着用されるサイズで作られ、咽頭隆起で開く部分的に環状のカラー装置であって、前記カラーが、着用時、前記頸部に内向きの圧力を印加するように適応される、前記部分的に環状のカラー装置と、
（ｉｉ）前記カラー装置に可逆的に取り付けられるように適応された少なくとも１対の圧力パッドモジュールであって、各圧力パッドモジュールの少なくとも一部分が、体に面する方向で前記カラーから伸長する、前記少なくとも１対の圧力パッドモジュールと
を備える、前記システム。
【請求項２】
前記カラーが、形状記憶材料を備える、請求項１に記載のシステム。
【請求項３】
前記システムが、２つ以上の対の圧力パッドモジュールを備える、請求項１または２に記載のシステム。
【請求項４】
前記各パッドモジュールが内向きに向く突起を備える、請求項１から３のいずれか１項に記載のシステム。
【請求項５】
前記内向きに向く突起の形状が調整可能である、請求項４に記載のシステム。
【請求項６】
前記突起が膨張可能である、請求項５に記載のシステム。
【請求項７】
前記突起が弾力性の変形可能なバンドを備える、請求項４に記載のシステム。
【請求項８】
前記圧力パッドモジュールが、前記カラーに摺動可能に係合している、請求項１から７のいずれか１項に記載のシステム。
【請求項９】
カラーが内頸静脈、外頸静脈、または両方に圧力を印加するサイズに作られる、請求項１から８のいずれか１項に記載のシステム。
【請求項１０】
前記頸部に係る前記内向き圧力が約１０〜８０ｍｍＨｇである、請求項１から９のいずれか１項に記載のシステム。
【発明の詳細な説明】
【技術分野】
【０００１】
本開示は、概して震盪性事象に対する曝露の影響を削減するための方法及び装置に関する。
【背景技術】
【０００２】
外傷性脳損傷（ＴＢＩ）は、西欧社会においてさえ４５歳以下の人の死亡及び病的状態の最も一般的な原因のうちの１つであり続けている。米国単独で年間１７０万人の人がＴＢＩを患っていることが報告されており、６００億ドルを超える年間総費用が推定されている。歴史的に、頭蓋骨損傷及び脳損傷の防止は、外的な頭蓋保護としてのヘルメットの使用に焦点を当ててきた。ヘッドギアは、最も壊滅的な頭蓋内損傷‐鋭的外傷及び頭蓋骨骨折‐を防ぐ上では効果的であるが、ヘッドギアは、震盪症及び頭蓋内部の構造に対する損傷の例を削減するその能力でいくぶん制限されている。震盪症及び他の外傷性脳損傷の圧倒的多数は、人がヘルメットによって十分に軽減されない高速の加速‐減速の作用にさらされるときに発生する。また、係る力は、耳、目、及び鼻の内部構造に損傷を引き起こすことが知られている。これらの有害な力は、体が、例えば自動車事故においてもしくは例えばフットボール等のコンタクトスポーツ中の激しい衝突を被るとき、または体が爆風にさらされるときに与えられる場合がある。おもに、頭蓋腔内でのヒトの脳の相対的な移動の自由は、結果的にときには遅発性の細胞死を伴う細胞破壊及び細胞機能障害を引き起こすエネルギー吸収を生じさせる直線力ベクトルと回転力ベクトルの両方に脳をさらしやすくする。
【０００３】
震盪性の力及び爆風によって引き起こされる脳、目、耳、及び鼻に対する損傷は、血圧及び／または標的構造内部の血液量を、その構造からの静脈血流を完全にまたは部分的に閉塞させることにより適度に上げることによって削減または防止され得ることが発見されている。具体的には、頭蓋内の血圧／血液量の上昇は脳損傷を軽減し、眼球内の圧力の上昇は眼球構造の損傷を軽減し、蝸牛内圧力の上昇は聴力損失及び内耳に対する損傷を軽減する。頸部の回りに着用されるように設計され、内頸静脈（複数可）、外頸静脈（複数可）、及び／または他の頸静脈に圧力を印加する完全に環状のカラー及び部分的に環状のカラーが設計されている。これらのカラーは、通常、約５〜８０ｍｍＨＧの圧力を頸静脈に印加するように設計される。しかしながら、これらのカラーは、必ずしもすべての活動及び状況にとって最も便利な印加装置または印加方法を提供するわけではない。したがって、本発明は、損傷の軽減が所望される標的構造から標的静脈に圧力を印加する（つまり、静脈血流を完全にまたは部分的に閉塞させる）ための代替のシステム、装置、及び関連方法を含む。
【発明の概要】
【０００４】
種々な態様では、本発明は、被験者の外傷性脳損傷（ＴＢＩ）（例えば、震盪症及び慢性外傷性脳症）、眼球構造に対する損傷、または内耳に対する損傷を軽減するために被験者の１つ、２つ以上の頸静脈に圧力を印加するためにシステム、装置、及び関連方法を提供する。
【０００５】
本発明のこれらの及び他の態様は、ここで添付図面と併せて本発明の以下の発明を実施するための形態を検討すると、当業者に明らかになる。
【０００６】
本発明の前記態様のいずれかのいくつかの実施形態では、頸静脈に印加される圧力は、例えば約１０〜７０ｍｍＨｇの間、例えば約１０〜６０ｍｍＨｇの間、例えば約１０〜５０ｍｍＨｇの間、例えば約１０〜４０ｍｍＨｇの間、例えば約１５〜８０ｍｍＨｇの間、例えば約１５〜７０ｍｍＨｇの間、例えば約１５〜６０ｍｍＨｇの間、例えば約１５〜５０ｍｍＨｇの間、例えば約１５〜４０ｍｍＨｇの間、例えば約２０〜８０ｍｍＨｇの間、例えば約２０〜７０ｍｍＨｇの間、例えば約２０〜６０ｍｍＨｇの間、例えば約２０〜５０ｍｍＨｇの間、例えば約２０〜４０ｍｍＨｇの間等の約１０〜８０ｍｍＨｇの間を含む、約２５、３０、３５、４０、４５、５０、５５、６０、６５、７０、７５、８０ｍｍＨｇ以下または約５、１０、１５、２０、２５、３０、３５、もしくは４０ｍｍＨｇ以上であってよい。
【０００７】
他の実施形態では、装置は、１つまたは両方の外頸静脈（ＥＪＶ）、１つまたは両方の内頸静脈（ＩＪＶ）に圧力を印加するように適応される。他の実施形態では、装置は、頸部の片側でまたは同時に頸部の両側でＥＪＶとＩＪＶの両方に圧力を印加するように適応される。他の実施形態では、装置は、１つ以上の（例えば２つの）椎骨静脈に、単独でまたはＥＪＶの１つもしくは両方及び／またはＩＪＶの１つもしくは両方と組み合わせて圧力を印加するように適応される。
【図面の簡単な説明】
【０００８】
【図１】震盪性事象への曝露の影響を削減するための開放カラーガーメントで実施されるシステムの例示的な図である。
【図２】震盪性事象への曝露の影響を削減するための閉鎖カラーガーメントで実施されるシステムの例示的な図である。
【図３】震盪性事象への曝露の影響を削減するための膨張可能なカラー装置の例示的な図である。
【図４】震盪性事象への曝露の影響を削減するための折り畳み式ガーメントで実施されるシステムの例示的な図である。
【図５】震盪性事象への曝露の影響を削減するためのハイネックスポーツブラジャーで実施されるシステムの例示的な図である。
【図６】震盪性事象への曝露の影響を削減するためのネックストラップ付きのスポーツブラで実施されるシステムの例示的な図である。
【図７】震盪性事象への曝露の影響を削減するためのネックストラップ付きスポーツブラで実施されるシステムであって、ネックストラップが折り畳まれていないシステムの例示的な図である。
【図８】震盪性事象への曝露の影響を削減するための統合ショルダーパッドアセンブリで実施されるシステムの例示的な図である。
【図９】震盪性事象への曝露の影響を削減するためのヘルメットの一部として実施されるシステムの例示的な図である。
【図１０】震盪性事象への曝露の影響を削減するための防護フェースシールドの一部として実施されるシステムの例示的な図である。
【図１１】図１０のシステムの正面図である。
【図１２】フットボールヘルメットに組み込まれる図１０のシステムの実施態様を示す図である。
【図１３】図１２のシステムの外形図を示す。
【図１４】震盪性事象への曝露の影響を削減するための固定点から伸長するシステムの例示的な図である。
【図１５】震盪性事象への曝露の影響を削減するための固定点から伸長する非環状システムの例示的な図である。
【図１６】震盪性事象への曝露の影響を削減するための調整可能なハーネスで実施されるシステムの例示的な図である。
【図１７】人によって着用されている図１６の例示的なシステムの背面図である。
【図１８】人によって着用されている図１６の例示的なシステムの正面図である。
【図１９】震盪性事象への曝露の影響を削減するための重りの付いた逆カラーシステムで実施されるシステムの例示的な図である。
【図２０】震盪性事象への曝露の影響を削減するためのサスペンダで実施されるシステムの例示的な図である。
【図２１】震盪性事象への曝露の影響を削減するためのガスマスクで実施されるシステムの例示的な図である。
【図２２】震盪性事象への曝露の影響を削減するためのヘアバンドで実施されるシステムの例示的な図である。
【図２３】Ａは、震盪性事象への曝露の影響を削減するためのヘッドバンドで実施されるシステムの例示的な図である。Ｂは、震盪性事象への曝露の影響を削減するためのヘッドバンドで実施されるシステムの別の例示的な図である。Ｃは、震盪性事象への曝露の影響を削減するためのヘッドバンドで実施される調整可能なシステムの例示的な図である。Ｄは、震盪性事象への曝露の影響を削減するためのヘッドバンドで実施される調整可能なシステムの別の例示的な図である。
【図２４】震盪性事象への曝露の影響を削減するためのヘッドフォンで実施されるシステムの例示的な図である。
【図２５】震盪性事象への曝露の影響を削減するためのカラー装置で実施される統合電子機器付きのシステムの例示的な図である。
【図２６】震盪性事象への曝露の影響を削減するためのカラー装置で実施される統合電子機器付きのシステムの別の例示的な図である。
【図２７】震盪性事象への曝露の影響を削減するための音響システムに組み込まれたシステムの例示的な図である。
【図２８】震盪性事象への曝露の影響を削減するための調整可能なカラー装置の例示的な図である。
【図２９】震盪性事象への曝露の影響を削減するためのカラー装置の中に統合された調整可能な圧力パッドの例示的な図である。
【図３０】震盪性事象への曝露の影響を削減するためのラッチ解除位置にある調整可能なカラー装置の例示的な図である。
【図３１】震盪性事象への曝露の影響を削減するためのラッチ位置にある調整可能なカラー装置の例示的な図である。
【図３２】震盪性事象への曝露の影響を削減するための調整可能なカラー装置の図の例示的な平面図である。
【図３３】震盪性事象への曝露の影響を削減するための調整可能なカラー装置の例示的な図である。
【図３４】震盪性事象への曝露の影響を削減するためのダイヤル力調整機構の例示的な図である。
【図３５】震盪性事象への曝露の影響を削減するためのスライダ力調整機構の例示的な図である。
【図３６】震盪性事象への曝露の影響を削減するための感圧ストリップで実施されるシステムの側面図の例示的な図である。
【図３７】震盪性事象への曝露の影響を削減するための感圧ストリップで実施されるシステムの正面図の例示的な図である。
【図３８】震盪性事象への曝露の影響を削減するための感圧ストリップで実施されるシステムの例示的な図である。
【図３９】震盪性事象への曝露の影響を削減するための自動接着性可撓パッドで実施されるシステムの例示的な図である。
【図４０】震盪性事象への曝露の影響を削減するための自動接着性可撓パッドで実施される別のシステムの例示的な図である。
【図４１】震盪性事象への曝露の影響を削減するための自動接着性可撓パッドで実施される別のシステムの例示的な図である。
【図４２】震盪性事象への曝露の影響を削減するための取り外し可能な先端付きのカラー装置の例示的な図である。
【図４３】震盪性事象への曝露の影響を削減するための調整可能な閉鎖カラーを組み込むシステムの詳細な図である。
【図４４】震盪性事象への曝露の影響を削減するためのラッチ機構を組み込むシステムの詳細な図である。
【図４５】震盪性事象への曝露の影響を削減するための例示的な調整可能なストラップである。
【図４６】震盪性事象への曝露の影響を削減するための例示的な可撓ネックラップを示す図である。
【発明を実施するための形態】
【０００９】
図が縮尺通りに描かれていないこと、及び図を通して類似する構造または機能の要素が、例示のために概して類似する数詞により表されることに留意されたい。また、図が好ましい実施形態の説明を容易にすることだけを目的とすることにも留意されたい。図は、説明されている実施形態のあらゆる態様を示さず、本開示の範囲を制限しない。
【００１０】
種々の実施形態または例は、システム、プロセス、または機器／装置を含んだ多数の方法で実施されてよい。本発明は、種々の特徴及び機能性に関して説明される。詳細に主張される任意の発明が、任意の順序でまたは組み合わせで開示されている特徴及び機能性のうちの任意の１つ以上を組み込んでよいことが理解される。発明を実施するための形態及び図は、本発明の理解を容易にするために提供されるが、決して制限的となることを意図していない。
【００１１】
本開示の方法及びシステムのいくつかの例示的な実施形態の詳細は、以下の説明に明記される。本開示の他の特徴、目的、及び優位点は、以下の説明、図面、例、及び請求項を調べると当業者に明らかになる。すべての係る追加のシステム、方法、特徴、及び優位点は、本説明の中に含まれ、本開示の範囲内にあり、添付の特許請求の範囲によって保護されることが意図される。
【００１２】
本開示がより詳細に説明される前に、本開示が、説明されている特定の実施形態に制限されず、したがって言うまでもなく変わる場合があることが理解される。また、本開示の範囲は添付の特許請求の範囲だけによって制限されるので、本明細書で使用される専門用語は特定の実施形態だけを説明するためであり、制限的となることを意図していないことも理解される。
【００１３】
爆風及び衝突損傷の軽減は、大部分はエネルギー吸収の原理に基づいている。このエネルギー吸収を削減するために、人は弾性衝突により密接に近づこうと試みなければならない。弾性衝突とは、（約１．０に近い反発係数（ｒ）としても記載される）おもに音響、運動、振動、または熱のエネルギーの正味伝達を生じさせない衝突である。以下に説明される種々の実施形態は、反発係数（ｒ）が増加する非弾性衝突によるエネルギー吸収の可能性を削減するために有機体の改変された生理機能を局所的に改変、上昇、または一時的に維持してよい。反発係数（ｒ）は、衝突物体がまったく完全な弾性衝突であることから離れる分散量を示す（ｒ＝１．０は、エネルギー伝達のない完全に弾性的な衝突を表す）。有機体における爆風またはエネルギー吸収は、物体の衝突として見なすことができ、したがって弾性衝突または非弾性衝突によるエネルギーの伝達により定義される場合がある。生体液及び分子がエネルギーを吸収する仕組みはこのようにして識別することができ、その吸収を軽減するための結果的な手段は、いくつかの軽減技術によって達成できる。爆風後のエネルギーの消散も、これらの技術により促進される。
【００１４】
震盪症の影響を軽減するための１つの技術は、有機体の器官または細胞の中での圧力または容積を可逆的に増加させることによる場合がある。この概念を頭蓋骨の内容物に適用すると、頭蓋内の容積及び圧力は、頭蓋の流出血管のうちの１つ以上の流量を削減する装置によって可逆的に増加できる。係る装置の一実施形態は、静脈抵抗の増加を引き起こすほどに十分であるが、頭蓋につながる動脈圧を約８０ｍｍＨｇを超えて上昇させるほど十分ではなく流出血管を圧迫するだろう。
【００１５】
脳の流体内容物の圧力を上げることによって震盪性の影響を軽減することは、脳の圧縮性を削減することにより脳組織またはその血管に対する損傷の傾向を大幅に削減できる。圧縮性の削減の結果、脳による運動エネルギー、音響エネルギー、熱エネルギー、及び振動エネルギーの吸収が削減される。
【００１６】
内耳に関して、蝸牛水管が脳脊髄液（ＣＳＦ）と直接的に連通し、水管の静脈が内頸静脈（ＩＪＶ）の中に直接的に排水することが知られている。静脈血液は、下錐体静脈洞または内頸静脈の中に直接的に注ぎ込む、または前庭水管または蝸牛水管の静脈を介して他の静脈洞を通って移動するかのどちらかである。内頸の流出の減少は、必ず蝸牛静脈を充血させ、内耳のコンプライアンスを吸収し、それによって巨視的レベル、細胞レベル、及び分子レベルで弾性衝突を改善し、このようにしてこれらの構造の中へのエネルギー付与を削減するだろう。
【００１７】
１４０ｍｌの総ＣＳＦ量のうちの約３０ｍｌ（２１％）が脊髄の軸の中に存在し、ＣＳＦ系のコンプライアンスの約３分の１が、脊椎区画に起因する。脳内でのように、脊椎区画の中でＣＳＦの圧力及び量を増加させることは、脊柱の内容物の弾性を増加させ、それによって震盪性の力にさらされるときに脊柱の内容物によって吸収されるエネルギーの量を削減することによって、脊椎区画の震盪性損傷への感受性を削減する。
【００１８】
眼球外傷に関して、キツツキが、つつくことの１２００Ｇの衝撃からその眼球の球体を保護する「ペクチン器官」を有していることが知られている。ペクチン器官の唯一の目的は、眼球の内側の硝子体液の容積及び圧力を増加させることであると思われる。ペクチン器官は、眼球内に配置され、眼圧を一時的に上昇させるように血液で満たし、それによって水晶体及び網膜にかかる強い圧力を維持して、それ以外の場合キツツキの平均寿命に亘る８０００万回のつつく打撃の間に発生する可能性がある損傷を妨げる。人間はペクチン器官を欠いているが、外部で外頸静脈（ＥＪＶ）に圧力を印加することによって眼圧を上げることが可能である。
【００１９】
したがって、本発明の一態様は、被験者の動物または人間による着用時に頭蓋内の容積及び／または圧力、眼圧、及び／または蝸牛内圧力を上昇させる装置を包含する。装置は、頸部の流出脈管構造（例えば、１つ以上の内頸静脈及び／または外頸静脈）に圧力を印加し、このようにして着用者における頭蓋内及び／または眼内の圧力及び容積を増加させるように構成される。このように行う際に、装置は、震盪性影響に起因する着用者によるエネルギー吸収を削減し、このようにして震盪性事象からの脳、脊椎、眼の損傷のうちの１つ以上の可能性を削減する。本発明の装置は、好ましくは、外傷性脳損傷のリスクのある事象の前に、外傷性脳損傷のリスクのある事象を予想して、及び外傷性脳損傷のリスクのある事象の間に着用され、実際の震盪性事象（例えば、衝突または爆風）の持続時間を通して着用されるだろう。
【００２０】
最高で１０立方センチメートル（ｃｍ３）までの任意の量、脳血液量を、及び最高で８０水銀柱ミリメートル（ｍｍＨｇ）までの任意の量、圧力を安全にかつ可逆的に増加させることは、脳血管階層のコンプライアンスを充填し、したがってエネルギー吸収により外部エネルギーを吸収する能力を削減するだろう。測定された圧力が頸部に印加されると、頭蓋の血液量は急速に増加し、新しいより高いレベルで横ばい状態になる。Ｍｏｙｅｒらは、脳動脈血流が脳からの血液の静脈流出を妨害することによって影響を及ぼされなかったと報告した。血液量静脈圧力の関係性は、頸部圧力が４０から７０水銀柱ミリメートルの範囲に亘って増分するたびに血液量の増加が縮小していくことを示す。頭蓋血液量が、（この頸部圧力により）約１０から約３０パーセント増加することは興味深い。同様に、ＣＳＦ圧力は、個々の頸静脈の圧縮時にも増加する。同じ頸部圧力の下では、ＣＳＦ圧力の平均的な上昇は約４８％である。これらの変化は、圧力の開始時に非常に急速に発生し、頸部静脈圧迫は早ければ０．５秒内に脳血液量を新しい停滞状態まで増加させる。より少ない頭蓋の圧力及び容積の増加が有益な効果を有する場合もあるが、本発明の装置が、少なくとも５ｍｍＨｇの頸部圧力の印加により、少なくとも３ｃｍ３、頭蓋血液量を増加させることが意図されている。
【００２１】
したがって、本発明の装置は、多くの形をとる場合があるが、頸部の中の１つ以上の静脈（具体的には、内頸静脈及び外頸静脈、椎骨静脈、ならびに脳脊髄循環、ならびに最も好ましくは内部頸静脈であるが、これに限定されるものではない）に絶えずまたは間欠的に圧力を印加して、脳を出る血流を制限することの機能上の特徴を共有している。したがって、本装置は、内向きに向けられ、装置の着用者の頸部に接触する少なくとも１つの内向きに向けられた突起、及び突起が頸部の１つ以上の静脈に圧力を印加し、それにより脳を出る血流を制限するように、１つ以上の突起に圧力を印加するための少なくとも１つの手段を含む。
【００２２】
着用者の頸部に接触する内向きに向けられた突起
いくつかの実施形態では、１つ以上の内向きに向けられた突起は、頸部に圧力を印加することを担う装置の構成部品に不可欠である。代替実施形態では、１つ以上の内向きに向けられた突起は、頸部に圧力を印加することを担う装置の構成部品とは別である。突起が、例えば尖っているまたは丸い等、任意の適切な形状であり、例えば剛性または半剛性の塑性体、カラーの厚くされた領域等によって画定される等、任意の適切な材料から成る場合があることが概して理解される。
【００２３】
いくつかの実施形態では、突起は、実質的にはブラダによって画定されてよく、これによりブラダが膨らんだときまたは充填されているとき、圧力は着用者の頸部にかけられる。いくつかの関係する実施形態では、ブラダは、外部の大気と流体連通する可逆的に圧縮可能な発泡体を含んでよい。追加の関係する実施形態では、ブラダの内部は、圧力解放弁を介して外部大気と流体連通する。ブラダ、発泡体、及び弁を含んだ実施形態では、これらの構成部品は、発泡体がブラダの中で拡大し、圧力弁を通してブラダの中に空気を引き入れて、ブラダを所望される圧力まで膨張させるように構成されてよい。しかしながら、圧力解放弁は、それ以外の場合、頸部に印加される圧力の量を不快なレベルまたは望ましくないレベルまで上昇させ得る装置への圧力の印加時にブラダからの空気の解放を可能にするように構成されてよい。他の実施形態では、ブラダは、気体または液体を含んでよく、ブラダの圧力がユーザーによって調整され得るようにポンプ機構を装備してよい、またはポンプ機構と連動するように構成されてよい。ポンプ機構は、例えば動力式ポンプまたは手動圧縮式ポンプ等、当該技術分野で理解されるように任意の適切なポンプ機構であってよく、これにより液体、空気、または気体をブラダに印加できる。特定の実施形態では、装置はさらに、動作可能にポンプ機構またはブラダに連結された圧力センサを含んでよく、これにより膨張の程度は、下にある頸静脈に印加される圧力の程度及び持続時間に関して調節され得る。
【００２４】
いくつかの実施形態では、突起は、ばね材料または弾力的な圧縮性材料を含む。これらの実施形態では、ばね材料または弾力的な圧縮性材料は、突起の頸部への適用が少なくとも部分的にばね材料または弾力的な圧縮性材料を圧縮するように突起の中に置かれる。少なくとも部分的に圧縮されたばね材料または弾力的な圧縮性材料によってかけられる力は、突起が頸部で所望される圧力を維持することを保証する。
【００２５】
いくつかの実施形態では、装置は、一般的なＣ形状、Ｖ形状、またはＵ形状を有するアーチ形の弾力性のあるバンドを含んでよい。バンドは、ばね状の弾力材から形成されてよく、これにより装置が適用されると、Ｃ形状のバンド、Ｖ形状のバンド、またはＵ形状のバンドはこじ開けられる。装置の適用後、ばね張力がバンドの圧縮を引き起こし、バンドの中間点または曲げ点を頸部に向かって伸長させ、頸部に圧力を印加させる。したがって、これらの実施形態では、バンドの中間点または曲げ点は、着用者の頸部に接触する突起である。
【００２６】
いくつかの実施形態では、１つ以上の突起の内向きに向けられた表面の少なくとも一部分は、頸部の上への突起の設置を容易にし、いったん配置された突起の移動を防ぐために適切な接着剤で被覆されてよい。さらにまたは代わりに、突起が、頸部に圧力を印加する装置の構成部品とは別である実施形態では、１つ以上の突起の外向きに向けられた表面の少なくとも一部分は、適切な接着剤で被覆されてよい。係る実施形態では、装置の設計は、突起が、頸部に圧力を印加する構成部品と頸部自体との間で整調され得るほどである。突起の外向きに向けられた表面は、次いで突起の外向きに向けられた表面上の接着剤が、いったん配置された突起の移動を妨げるように、装置の圧力を提供する構成部品の内向きに向けられた表面と接触するだろう。
【００２７】
（より詳細に以下に説明する）この種の１つの例示的な実施形態は、３つの部分品、つまり２つの円形または楕円形のプラスチックの突起（頸部の両側への印加のための突起）及び弾性カラーを含む。装置は、最初に頸部の回りにカラーを置くことによって、次に頸部の両側の内頸静脈に圧力を印加するように適切な位置でカラーと頸部の間にプラスチック突起を置くことによって適用できるだろう。この例について理解されるように、突起の内向きに向けられた及び／または外向きに向けられた表面での低刺激性の接着剤コーティングが、いったん突起がカラーとネックとの間に設置されたら突起の移動を妨げるのを支援する。代わりに、突起が、少なくとも内向きに向けられた表面上で十分な強度の接着剤コーティングを有する場合、突起は、カラーの設置の前に頸部の適切な位置に設置されてよい。どちらの場合にも、カラーは突起に圧力を印加し、このことが同様に頸静脈に圧力を印加する。
【００２８】
この種の他の実施形態では、２つの突起は、適切な長さのテザーで互いに固定されて、頸部の両側での印加のための位置合わせ及びスペーシングのガイドの機能を果たしてよい。いくつかの実施形態では、テザーは、取り外し可能であってよく、これにより突起が頸部に適用されると、テザーは引っ張られ、またはそれ以外の場合取り外され、突起を着用者の頸部の定位置に残してよい。
【００２９】
いくつかの実施形態では、突起は、実質的に内頸静脈（複数可）及び／または外頸静脈（複数可）だけに圧力を印加するサイズに作られた圧縮性パッドまたは固形である。
【００３０】
また、装置が、頸静脈に圧力を印加するために特に画定された突起を有する必要がないことも理解される。例えば、装置は、標的頸静脈（複数可）の上に位置決めされるように適応されるパッドまたは厚くされた領域を有してよい。パッドまたは厚くされた領域は、剛性、半剛性、または膨張式であってよい。便宜的に、本明細書に説明される装置のいくつかは突起及び類似する構造に言及する。この説明は、制限的となることを意図しておらず、代わりに標的頸静脈（複数可）の上に位置決めされ、それに直接的な圧力を印加するように適応される装置のその部分を一般的に参照することを意図する。
【００３１】
環状カラー型装置及び半環状カラー型装置
いくつかの実施形態では、装置は、環状カラーまたは半環状カラーであってよい。環状カラーは、装置が動物またはヒトの被験者によって着用されるときに頸部の全周を取り囲むカラーである。半環状カラーは、装置が動物またはヒトの被験者によって着用されるときに頸の円周の大半を取り囲むカラーである。半環状カラーによって取り囲まれていない頸部の円周の部分は、取り囲まれた部分が、脳を出る血流を制限するために明確に位置付けられた内向きに向けられた突起に対する圧力の印加を可能にする限り、頸部の円周の回りの任意の位置に置かれてよい。通常、開放部分は、喉の正面に位置付けられる（例えば、いくつかの実施形態では、半環状カラーは「喉仏」としても知られる咽頭隆起によって実質的に画定された領域を除き、頸部を取り囲んでよい）、または頸部の後部に位置付けられるかのどちらかとなる。
【００３２】
装置が環状カラーを含む実施形態では、頸部に印加された圧力は、頸部の直径に満たないカラーの内法に起因する場合があることが意図される。カラーの内法のこの差異は、カラーを構築するために使用される材料によって決定される任意の数の構成によって達成されてよい。例えば、非弾性材を含んだカラーでは、カラーは、個人によって着用されるときに適切な圧力を印加するサイズに作られてよい。これらの実施形態では、カラーのサイズは、カラーが個人に合わせて仕立てられ、したがってフィットのための調整を必要としないほどであってよい。代わりに、カラーのサイズは、そのうちのいくつかが以下にさらに説明される、いくつかの手段のいずれかによって調整可能であってよい。いくつかの実施形態では、カラーは、弾性カラーの内法が、カラーが着用されるときに拡大され、拡大した弾性材によってかけられる圧縮力の結果としてカラーが着用者の頸部に圧力を印加するように弾性材を含んでよい。また弾性材は、着用者のための快適さの増大という利点も与え得る。
【００３３】
装置が半環状のカラーを含む実施形態では、カラーが、一般的なＣ形状、Ｖ形状、またはＵ形状を有するアーチ形の弾力性のあるバンドを含むことが意図される。これらの実施形態では、バンドが、全体ではなくても、カラーの長さの大半を引き伸ばすことが意図される。これらの実施形態では、カラーは、このようにして、カラーが着用者の頸部に適用されるにつれ拡大するＣ形状、Ｖ形状、またはＵ形状を半剛性で画定する。拡大したアーチ形の弾力性のあるバンドからのばね応力は、カラーを頸部の上の定位置に保持し、頸静脈に意図された圧力を印加する圧縮力を引き起こす。
【００３４】
これらの実施形態では、少なくとも１つの内向きに向けられたパッドまたは形は、カラーの対向した側面の適切な位置に置かれてよく、これにより内向きに向けられたパッドまたは形は、頸部に接触し、内部頸静脈の上方の点に圧力を印加するように構成される。半環状カラーが喉の正面で開いている実施形態では、半環状カラーによって覆われていない頸部の領域は、「喉仏」としても知られる咽頭隆起に近づく領域を画定してよい。これらの実施形態では、カラーの対向した側面に置かれた内向きに向けられたパッドまたは形は、アーチ形の弾力性のあるバンドの終端部にまたは終端部近くに位置してよい。半環状のカラーが頸部の後部で開いている実施形態では、内向きに向けられたパッドまたは形は、終端部の近くに置かれなくてよく、むしろバンドの中間点にはるかに近く置かれてよい。
【００３５】
装置が、頸部の後部で開いている環状カラーまたは半環状カラーを含むいくつかの実施形態では、装置は、頸部の正面で切欠きを画定する咽頭部ブリッジを含んでよい。咽頭部ブリッジのサイズ及び形状は、カラーを着用者にとってより快適にするために、カラーの咽頭隆起との接触を最小限に抑えるように構成されてよい。これらの実施形態では、咽頭部ブリッジは、頸部の正面の回りでのカラーの剛性または半剛性の継続部を提供するために任意の適切な材料製であってよい。いくつかの実施形態では、咽頭部ブリッジは、厚いまたは補強された織物材料、プラスチック、金属、またはその任意の組み合わせを含んでよい。
【００３６】
装置が環状カラーを含むいくつかの実施形態では、装置は、２つの構成部品、つまり１つ以上の内向きに向けられた突起及び咽頭部ブリッジを含む前部、及び前部の対応する端部のどちらか一方の端部で取り外し可能に取り付けられるように構成された１枚の布を含んだ後部を含む。いくつかの実施形態では、１枚の布は弾性材を含む。代わりに、１枚の布は非弾性材を含んでよい。前部のどちらか一方の端部を後部の対応する端部に取り外し可能に取り付けることは、例えばフックアンドラダー取り付け（ｈｏｏｋ  ａｎｄ  ｌａｄｄｅｒ  ａｔｔａｃｈｍｅｎｔ）、フックアンドループ取り付け（ｈｏｏｋ  ａｎｄ  ｌｏｏｐ  ａｔｔａｃｈｍｅｎｔ）、スナップ、ボタン、化学接着剤、または当業者に既知であろういくつかの取り付けの仕組みのいずれか等の技術で既知の任意の適切な方法によってよい。また、取り外し可能の取り付け手段を有する装置は、分離解放機構を有する場合もあり、これにより装置が不注意に引っ掛けられる、またはきつく圧縮しすぎるのを防ぐために、装置を所定の力でこじ開けるまたはバラバラにすることができる。
【００３７】
本明細書に説明される装置の多くは、潜在的に弾性材を含んでいるとして説明される。より詳細には、これらの装置は、被験者の頸部の円周の回りで弾性的に長くすることができる（ｅｌｏｎｇａｔａｂｌｅ）材料を含んでよいことが意図される。弾性材は、引き伸ばされたときに、自然状態に戻ろうと試みる任意の材料である場合がある。例示的な材料は、布地、膜（織り、不織、及び網細工）、発泡体、及びゴム（剛性及び天然）、ポリクロロプレン（例えば、ＮＥＯＰＲＥＮＥ（登録商標））、エラステイン、及び他のポリウレタン‐ポリ尿素コポリマー（例えば、ＳＰＡＮＤＥＸ（登録商標）、ＬＹＣＲＡ（登録商標））、フリース、ワープニット、または細幅の伸縮性生地、ラッシェル、トリコット、ミラニーズニット、サテン、綾織り、ナイロン、コットンツイード、糸、レイヨン、ポリエステル、革、キャンバス、ポリウレタン、ゴム引き材料、エラストマ、及びビニールのうちの１つ以上を含んでよい。また、通気性があるいくつかの弾性材料、または長い着用期間中もしくはエクササイズの期間中好ましくあってよいモイスチャーウィッキングもある。上記に示したように、弾性材は、十分な圧縮圧力を提供し、しかも着用者の動き及び／または筋肉の柔軟性の完全な範囲に対応するために柔軟なままであることによって、着用者にとっての快適さの増加という利点を与えてよい。
【００３８】
さらに、弾性材を用いて構築された装置は、部分的に補強されてよい、被覆されてよい、またはそれ以外の場合、例えばＫｅｖｌａｒ（登録商標）（パラアラミド合成繊維）、Ｄｙｎｅｅｍａ（登録商標）（超高分子量ポリエチレン）、セラミックス、またはずり粘稠化流体等の１つ以上の保護材料を含んでよい。係る補強材料は、裂傷に対する装置の抵抗を高める利点を与えてよい。したがって、補強された装置は、ユーザーに裂傷による損傷から頸部を保護する追加の利点を提供し得る。
【００３９】
いくつかの実施形態では、環状カラーまたは半環状カラーは、弾性、またはそれ以外の場合、耐火性がある材料で構築されてよい。
【００４０】
装置は、水平に頸部全体を、または単に部分的に頸部を上下に包囲してよい。本明細書に説明される装置の幅は、（１インチのほんの一部の）わずか１本の糸から露出された頸部の長さ（ヒトでは最高で１２インチまでまたは他の生き物ではより大きい）に及び、長さは頸部を迂回するために６〜３６インチに及んでよい。圧縮装置の幅は４分の１インチほど小さくなるが、通常６インチ未満となるであろう最大幅で頸部の高さによってだけ制限されるだろう。該装置の厚さは、１ミリメートルの何分の１にすぎない膜から、扱いにくい可能性があるが、例えば厚さ２〜３インチ等、人の頸部を温かく保つ膜の最大値に及ぶだろう。
【００４１】
いくつかの実施形態では、環状カラーまたは半環状カラーは、形状記憶高分子を含んでよい。係る実施形態では、カラーは、ユーザーの頸部に適用され、次いで適切な刺激が形状記憶高分子に適用され、カラーをフィットするために縮ませるだろう。
【００４２】
いくつかの実施形態では、環状カラーまたは半環状カラーはブラダを含んでよく、これによりカラーによって着用者の頸部にかけられた圧力は、ブラダを膨らませるまたはしぼませることによって調整されてよい。いくつかの関係する実施形態では、ブラダは、外部の大気と流体連通する可逆的に圧縮可能な発泡体を含んでよい。さらに関係する実施形態では、ブラダの内部は、圧力解放弁を介して外部の大気と流体連通している。ブラダ、発泡体、及び弁を含んだ実施形態では、これらの構成部品は、発泡体がブラダの中で拡大し、圧力弁を通してブラダの中に空気を引き込み、ブラダを所望される圧力に膨張させるように構成されてよい。しかしながら、圧力解放弁は、それ以外の場合、頸部に印加される圧力の量を不快なまたは望ましくないレベルまで上昇させる場合がある突起への圧力の印加時に、ブラダからの空気の解放を可能にするように構成されてよい。他の実施形態では、ブラダは気体または液体を含んでよく、ブラダの圧力がユーザーによって調整され得るようにポンプ機構を備えてよい、またはポンプ機構と連動するように構成されてよい。ポンプ機構は、例えば動力式ポンプ、または手動圧縮式ポンプ等、当該技術分野で理解されるように任意の適切なポンプ機構であってよく、これにより液体、空気、または気体をブラダに印加できる。特定の実施形態では、装置はさらに、動作可能にポンプ機構またはブラダに連結された圧力センサを含んでよく、これにより膨張の程度は、下にある頸静脈に印加される圧力の程度及び持続時間に関して調節されてよい。いくつかの実施形態では、ブラダは、突起上方以外のカラーの一部分を少なくとも含むために置かれる。いくつかの実施形態では、ブラダは、カラーの円周の大半を通して置かれる。
【００４３】
いくつかの実施形態では、環状カラーまたは半環状カラーは、さらにパウチまたはポケットを含んでよい。パウチまたはポケットは外部でアクセス可能であってよい。つまり、カラーが着用されている間にアクセス可能であってよい、またはカラーが取り外されるときにだけアクセス可能であってよい。係るパウチまたはポケットの寸法は、パウチまたはポケットが、例えばＣＯ２の送達を可能にする材料、炭酸脱水酵素タブレット、メチレンブルー、ＤＨＡ、嗅薬等、ＴＢＩに関係する厄災の治療に有用な１つ以上の品目を運ぶために適しているほどであってよい。
【００４４】
いくつかの実施形態では、環状カラーまたは半環状カラーはさらに、カラーの内向きに向けられた表面の温度を改変するように構成された圧電熱ポンプを含んだ電気回路を含んでよい。係る熱ポンプは、例えば周囲温度から７０℃ほど、装置を加熱または冷却するために使用されてよい。
【００４５】
いくつかの実施形態では、環状カラーまたは半環状カラーは、着用者の頸部に治療的電気刺激を提供するように構成された電気回路をさらに含んでよい。例えば、電気回路は、経皮電気神経刺激を提供するように構成されてよい。
【００４６】
非カラー型装置
いくつかの実施形態では、装置は、それぞれが頸部の片側で１つの頸静脈または頸静脈の集合と接触する、対で使用されることが意図される２つの別々の要素から成る非カラー型装置であってよい。非カラー型装置は、被験者の皮膚に直接的に取り付けられてよい、または非カラー型装置は、本明細書で説明する、ガーメント、保護具（例えば、ヘルメット、肩パッド等）、またはヘッドフォン等の別の構造に固定されてよい。
【００４７】
カラー型装置と同様に、非カラー型装置も、脳を出る血流を制限するために特定の場所で頸部に圧力を印加するために内向きに向けられた突起も利用する。上述した突起のいずれも、非カラー型装置で用途を見出してよい。
【００４８】
非カラー装置が皮膚に直接的に固着されるいくつかの実施形態では、突起の外部に向けられた側面は、突起により画定された領域を越えて延在する可撓性材料によって覆われてよい。これらの実施形態では、装置が定位置にあるときに、この延在する内向きに向けられた表面の少なくとも一部分が頸部に接触する。いくつかの実施形態では、頸部に接触する可撓性材料の内向きに向けられた表面の少なくとも一部分が適切な接着剤で被覆され、これにより頸部に適用されるとき、可撓性材料は突起を適切な位置に保持し、頸静脈に圧力を印加する。可撓性材料は剛性または非剛性であってよい。可撓性材料は、任意の適切な合成または天然の織布材料または織物材料、または任意の適切なプラスチックであってよい。
【００４９】
係る実施形態は、頸部の両側への印加のための１対の材料／突起の組み合わせを含んでよい。いくつかの関係する実施形態は、上述したように、テザーによって接合された１対の材料／突起の組み合わせを含んでよい。テザーは、頸部の正しい位置での突起の位置合わせ及び適切な設置に対する補助器具としての機能を果たすために適切な長さであってよい。いくつかの実施形態では、テザーは、頸部の両側での突起の設置後に、テザーが取り外されるように１対の材料／突起の組み合わせに取り外し可能に取り付けられてよい。
【００５０】
いくつかの非カラー型装置では、装置は、一般的なＣ形、Ｖ形、またはＵ形を有するアーチ形の弾力性のあるバンドを含んでよい。これらの実施形態では、突起は、バンドの各アームの終端にまたは終端近くに位置すること、及び装置が定位置にあるとき、バンドが頸部の正面の回りで伸長することが意図される。これらの実施形態では、バンドは、このようにして、装置が着用者の頸部に適用されると拡大するＣ形、Ｖ形、またはＵ形を半剛性で画定する。拡大したアーチ形の弾力性のあるバンドからのばね張力は、装置を頸部の定位置に保持し、突起を介して意図された圧力を頸静脈に印加する圧縮力を生じさせる。いくつかの実施形態では、アーチ形の弾力性のあるバンドは、それが咽頭隆起の一般的な領域内で頸部の正面と交差しないようなサイズ及び形状に作られる。代わりに、バンドは、咽頭隆起の下方の位置で頸部の正面と交差してよい。
【００５１】
一体化された突起を含むガーメントまたは他の防具
さらに他の実施形態では、（上述した）突起は、衣服及び／または他の防具の種々の品目に組み込まれてよい。係るガーメント及び／または他の防具は、通常、例えば軍服、スポーツアパレル、第一対応者向けのネックガード、自動車またはオートバイの運転者または消防士向けの難燃性ヘッドギア等の一部として等、特定の目的のために設計されてよい。いずれにせよ、突起は、着用者の頸部、つまりカラーと接触するガーメントまたは防具の一部分の適切な位置に含まれてよく、カラーは突起に対して圧縮力を提供する。したがって、閉鎖手段、位置合わせ手段、もしくはフィット手段のいずれか、または環状カラー型装置もしくは半環状カラー型装置に関して提供される任意の他の任意選択の特徴は、ガーメント及び／または防具の実施形態で組み込まれてよい。
【００５２】
一態様では、本発明は、ガーメント、及びそれぞれが他との使用のために適応された環状カラーまたは半環状カラーを有するシステムを提供する。一実施形態では、ガーメントは、カラーを受け入れるように適応された上部を有する。例えば、ガーメントの上部は、被験者の頸部とカラーとの間に布地の層を提供するように設計される引き伸ばされたフラップを有してよく、そのフラップの引き伸ばされた部分は折り畳まれ、任意選択で固締されて、カラーを隠し、カラーを定位置に保持するのに役立つ。別の実施形態では、ガーメントの上部は、カラーを受け入れるように適応されるスリーブを有する。別の実施形態では、カラーは被験者の皮膚に直に設置され、ガーメントの上部はカラーのすべてまたは部分を隠すように適応される。任意選択で、ガーメントの内側及びカラーの外側は、ガーメントの上部をカラーに対して定位置に保持するために、相互に係合する固締手段を有する。１つの係る適切な固締手段は、フックアンドパイル（ｈｏｏｋ−ａｎｄ−ｐｉｌｅ）システム（例えば、ＶＥＬＣＲＯ（登録商標））である。
【００５３】
別の態様では、ガーメントの上部は、その中に恒久的に固着された一体化した突起を有する。任意選択で、ガーメントの上部は、独立型のカラーと同様に、突起を介して頸静脈圧力を印加するように適応された剛性部材及び反剛性部材を含む。代わりにまたは剛性部材に加えて、ガーメントの上部は、突起を介して頸静脈圧力を印加し、制御するように適応された閉鎖機構及び／またはフィット機構とともに完全に周囲を取り囲んでよい。
【００５４】
視覚的または触覚的な位置合わせ補助器具
上述した実施形態のいずれかは、さらに１つ以上の材料を含んでよい、及び／または突起の適切な位置合わせ及び位置決めを決定する際にユーザーまたは第三者の観察者に視覚的または触覚的な補助器具を提供するように設計された１つ以上の構築方法を適用してよい。例えば、カラー型装置は、頸部の中間点に対照的な材料もしくは反射性材料、または異なるテクスチャを有する材料の小さいストリップまたはパッチを含んでよい。代わりにまたは加えて、類似する視覚的な合図または触覚的な合図が、突起の位置の外向きの表示を提供するように上記装置のいずれかに組み込まれてよい。
【００５５】
さらに、弾性材を利用する上述した実施形態のいずれかは、下にある突起に適切な力を印加するほど十分に引き伸ばされたときに、図形または色の変化を露呈する二層弾性材を含んでよい。係る実施形態では、図形または色の変化は、装置が少なくとも十分な圧縮力を印加していることの視覚的な合図を着用者または第三者の観察者に提供してよい。
【００５６】
組み込まれたセンサまたは他の電子システム
また、上記装置のいずれかは、取り付けられたまたは埋め込まれた１つ以上の監視装置、記録装置、及び／または通信装置を有してもよい。例えば、装置は、着用者の回りの１つ以上の環境パラメータ、着用者の１つ以上の生理的パラメータ、またはそのなんらかの組み合わせを検出できるセンサを含んでよい。検出し得る例示的な環境パラメータは、カラーが着用されている時間、気圧、周囲温度、湿度、加速度／減速度（つまり、Ｇ力）、ポジショナリティ（直立／背臥位）等を含む。検出し得る生理的パラメータは、装置を着用するヒトまたは動物の脈拍、血圧、プレチスモグラフィ、皮膚温度、酸素飽和度、一酸化炭素ヘモグロビンレベル、メトヘモグロビンレベル、血糖、電気流量等を含む。係るセンサのいずれかは、着用者のなんらかの環境上のまたは生理的な特徴または能力を監視するために使用されてよい。脈拍、血圧、及び／またはプレチスモグラフィを検出できるセンサは、突起がいつ頸静脈上に適切に設置され、血流を制限するように適切な圧力をかけているのかをユーザーに知らせる位置合わせ及び／またはフィットの補助器具として使用される追加のまたは代わりの目的を果たしてよい。
【００５７】
いくつかの関係する実施形態では、装置は、誤動作または望ましくないセンサ測定値の視覚的な兆候、聴覚的な兆候、もしくは触覚的な兆候を提供できる電子回路をさらに含んでよい。例えば、電子回路は、脈拍センサまたは血圧センサが、所定値よりも高いまたは低いかのどちらかである測定値を検出するとき、カラーを振動させるように構成されてよい。
【００５８】
さらに、または代わりに、上記装置のいずれかは、着用者の位置を送信するように構成された電子回路を含んでよい。例えば、上記の装置のいずれかは、着用者の位置を追跡するために、または捜索及び救助の目的のために着用者のＧＰＳ座標を送信するように構成された電子回路を含んでよい。
【００５９】
さらに、または代わりに、上記装置のいずれは、着用者と第三者との間の音声通信を送信及び／または受信するように構成された電子回路を含んでよい。
【００６０】
いくつかの実施形態では、係るセンサの出力は、例えば、（例えば、ＬＥＤ、圧電スピーカを用いて等）視覚的な表示または聴覚的な表示を提供するように構成された電子回路等の装置の別の構成部品によって視覚的にまたは聞き取れるようにユーザーまたは第三者に伝達されてよい。いくつかの実施形態では、装置は、センサからの信号が、スマートフォン、ラップトップ、または専用受信機等の外部電子装置に通信され得るように通信手段をさらに含む。
【００６１】
例を含んだこれらの用語及び明細書は、本発明を制限するためにではなく、例によって本発明を説明するために役立つ。他者が、上記と異なる一方、本明細書に説明され、請求される本発明の範囲から逸脱しない差異を知覚することが予想される。特に、本明細書に説明される機能要素のいずれかは、同等な機能を有する任意の他の既知の要素によって置き換えられてよい。
【００６２】
本発明の例示的な実施形態
図１は、震盪性事象への曝露の影響を削減するための上部ガーメント（シャツ、ジャージー、運動用ジャケット等）で実施されるシステムを示す。図１に示す実施形態では、ガーメント１は、ユーザーの頸部の回りでぴったりかつ完全にフィットする閉鎖カラーまたはフルカラーを形成するために開放ガーメントカラー４を閉じるための、例えばフックアンドパイル（ｈｏｏｋ−ａｎｄ−ｐｉｌｅ）（例えば、「ＶＥＬＣＲＯ」）ストリップ２及び３として示す可逆閉鎖機構（例えば、嵌合対部材）を含むカラー伸長部７も組み込んだ開放ガーメントカラー４を有する。また、ガーメントは、カラー伸長部７が閉じられるとき（つまり、可逆ファスナーが閉じられるまたは結合されるとき）標的頸静脈（例えば、ＥＪＶ及び／またはＩＪＶ）の上になるように配置された内向きに向けられた突起８ａ及び８ｂの対も含む。ユーザーは、閉鎖構成でのカラー４の締め付け及び／または調整によって突起８ａ及び８ｂによる頸静脈に印加される圧力の量を制御してよい。したがって、連続的なサイジングを可能にする可逆閉鎖機構（例えば、「ＶＥＬＣＲＯ」）は、それによりユーザーがカラー４のフィットならびに突起８ａ及び８ｂによって印加される頸静脈圧力を細かく制御し、カスタマイズできるようになるため、断続的なサイジングだけを可能にする閉鎖機構（例えば、フック、スナップ等）に優先して好ましい。ガーメント１は、弾性布地と非弾性布地の両方を含む異なる種類の材料から構築できる。特に、カラー４は、弾性布地または非弾性布地から作られてよいが、弾性布地が好まれる。任意選択で、突起８ａ及び８ｂは、カラー４の内側面上のポケットに設置され、恒久的（例えば、縫い込まれている）または取り外し可能（例えば、開放ポケット）であってよい。
【００６３】
図２は、震盪性事象への曝露の影響を削減するための閉鎖カラーガーメントで実施されるシステムの例示的な図である。図２に示す実施形態は、ガーメント５が着用されるときに標的頸静脈の上になるように配置された小穴１１を有する、可撓かつ伸縮性があるまたは剛性のカラー１５を有するガーメント５を有する。取り外し可能な突起１０は、頸静脈に圧力を印加するために小穴１１を通して置かれてよい。一実施形態では、本発明は、ガーメント５、及び突起の１つ以上（例えば、２つ、３つ、４つ、５つ、６つ以上）の左右一対の突起１０を含んだシステムを提供し、各左右一対は、ユーザーが印加される頸静脈圧力の量及び／または圧力が印加される領域のサイズ／形状をカスタマイズし得るように他の左右一対とは異なるサイズ及び／形状である。ガーメント５は、弾性布地と非弾性布地の両方を含んだ異なる種類の材料から構築されてよい。
【００６４】
図３は、震盪性事象への曝露の影響を削減するためのソフトカラー３０で実施されるシステムの例示的な図である。図３に示す実施形態では、布地ネックストラップソフトカラー３０は、カラー本体及び力ゾーンを含む。力ゾーンは、着用者の頸部の静脈に圧力を印加する複数の突起（不図示）に圧力を印加してよい、または力ゾーンは、突起の存在がなくても頸静脈圧力を印加できる。力ゾーンは、示すように、頸静脈の一方の集合から他方に及ぶ連続バンドとして存在する場合がある、または力ゾーンは、それぞれが頸静脈の集合に重なる断続的なセグメントとして存在する場合がある。力ゾーンは、カラー３０の本体に使用される材料とは異なる材料から形成されてよい。ネックバンドは、拡張型布地または異なる材料の混合物から成る場合がある。装置３０は、着用者の頭の上で拡大し、摺動できる拡張型シームレスネックバンドを含む場合がある。装置３０は、着用者の異なる頸部の側面に対応するために種々のサイズで構築することができる。
【００６５】
ニットカラーのいくつかの実施形態では、気管部位にある（つまり、咽頭隆起に及ぶ）布地の切欠き２７は、着用者の快適さを高めるために形成されてよい。本実施形態では、気管部位の円周領域３５は、着用者の喉に対する圧力を削減するために最小限に抑えることができる。一実施形態では、力ゾーンは、本体３０よりも弾力性の大きい弾性特性を有する材料を含む。任意選択で、咽頭部ブリッジ３５は、弾性または非弾性である。別の実施形態では、ソフトカラー３０は、ガーメントの中に組み込まれ、そのガーメント用のカラーとしての機能を果たしてよい。また、ソフトカラー３０は、着用者の咽頭隆起の異なる物理特性に対応するために切欠き２７の異なる寸法で構築することもできる。
【００６６】
図４は、震盪性事象への曝露の影響を削減するための取り外し可能のクリップ付きの細長い折り畳みカラーを有するガーメントを含むシステムの例示的な図である。図４に示す実施形態では、ガーメント４０は、例えばタートルネックデザイン等の細長い頸部領域４５を有する。頸部領域４５の布地は、残りの布地５０上で着用者の頭部から離れて下方に丸めるまたは折り畳むことができ、少なくとも１つのクランプ５５が折り畳まれた頸部領域４５の布地を保持するために適用される。クランプ５５は、任意の従来の材料から構築されてよく、ガーメント４０に取り外し可能に結合できる。また、クランプ５５は、適切に位置決めされるとき、着用者の頸部の静脈に圧力を印加するための突起としての機能も果たす。図４では１つのクランプ５５しか示されていないが、２つ以上のクランプをガーメント４０と着用できる。ガーメント４０は、弾性布地と非弾性布地の両方を含んだ異なる種類の材料から構築できる。頸部領域４５の布地の折り畳みは、クランプ５５、したがって頸静脈に印加される圧力を増加させる場合がある。また、頸静脈圧力は、拡張された頸部領域４５での伸縮性のある材料の使用により増加する場合がある。また、ガーメント４０は、クランプ５５の適切な設置を着用者に知らせることができる、印加領域６０を組み込むこともできる。印加領域６０は、異なる色または他の従来のマーキングを有してよい。
【００６７】
図５は、震盪性事象への曝露の影響を削減するためのハイネックスポーツブラで実施されるシステムの例示的な図である。図５に示す実施形態では、スポーツブラ７０のカラー６５は、着用者の頸部の静脈に圧力を印加する複数の突起（不図示）を利用できる。スポーツブラ７０は、弾性布地と非弾性布地の両方を含んだ異なる種類の材料から構築できる。本実施形態では、カラー６５の伸縮素材は、カラー（不図示）の内側に位置する突起に圧力をかける。他の種類のガーメントと同様に、突起はガーメントに縫い込むことができる。代わりに、突起のためのポケットは、スポーツブラ７０のカラー６５に縫い込むことができる。ハイネック付きスポーツブラ７０のカラー６５は、着用者の快適さのために、及び着用者の頸部の静脈にかかる圧力を変えるために調整可能である場合がある。スポーツブラ７０は、着用者の物理的な寸法に対応するために種々のサイズで構築できる。他の実施形態では、カラーは、スポーツブラ７０の頸部領域の凹部に挿入できる（不図示）。いくつかの実施形態では、スポーツブラ７０は、モイスチャーウィッキング材料から構築できる。いくつかの実施形態では、スポーツブラ７０は、ガーメントの正面に沿ってシームを組み込むことができる。シーム６７は、着用者の頸部領域にかかる圧力を削減するために可逆閉鎖装置（例えば、ジッパー）を使用し、開くことができる。
【００６８】
図６は、震盪性事象への曝露の影響を削減するためのネックストラップ付きのスポーツブラで実施されるシステムの例示的な図である。図６に示す実施形態では、スポーツブラ７５は、ブラ７５のストラップの中に組み込まれた複数のフラップ８０を含む。スポーツブラ７５のフラップ８０は、着用者の頸部の静脈に圧力を印加する複数の突起（不図示）を利用できる。フラップ８０は、着用者の頸部の静脈の上で突起を定位置に設置するために配置できる。スポーツブラ７５は、弾性布地と非弾性布地の両方を含む異なる種類の材料から構築できる。本実施形態では、フラップ８０の伸縮素材は突起に圧力をかける。フラップ８０は、着用者の頸部に対する圧力を増すために弾性材料で製造できる。フラップ８０は、材料の連続部分の端部を含む場合がある、または互いに結合された複数の材料から成る場合がある。いくつかの実施形態では、スポーツブラ７０は、モイスチャーウィッキング材料から構築する場合がある。図６に示す実施形態では、ネックストラップ及び下部ストラップが着用者を取り囲む。
【００６９】
図７は、震盪性事象への曝露の影響を削減するためのネックストラップ付きのスポーツブラ７５で実施されるシステムの例示的な図であり、フラップ８０は折り畳まれていない。図８に示す実施形態では、フラップ８０は折り畳まれておらず、着用者の頸部に寄りかかっている。フラップは、所望される圧力を印加するために弾力材を含む場合がある。フラップ８０は、展開位置と折り畳み位置との間で移動されるためにヒンジまたは折り目上に硬質プラスチックの側面を含む場合がある。フラップ８０は、連続（つまり、頸部の後部の回りで接合されている）または不連続である場合がある。フラップ８０は、着用者の頸部を少なくとも部分的に取り囲む場合がある。図７に示す実施形態では、スポーツブラ７５は、着用者の背に沿って２つの垂直ストラップを含む。
【００７０】
図８は、震盪性事象への曝露の影響を削減するための統合ショルダーパッドアセンブリで実施されるシステムの例示的な図である。図８に示す実施形態では、カラーアセンブリ９５は、例えばファスナーを使用して等、任意の従来の方法でショルダーパッドアセンブリ１００と結合できる。図８に示すカラー９０は、着用者の頸部の少なくとも一部分の回りに置くことができる。カラー９０は、少なくとも部分的に（つまり、部分的にまたは完全に）着用者の頸部の回りに巻き付く長手方向軸を含む場合がある。例えば、本実施形態では、カラー９０は、着用者の頸部の円周の少なくとも大半の周囲に伸長する。例えば、本実施形態では、カラー９０は、着用者の頸部の周囲の少なくとも約３分の２、いくつかの場合には着用者の頸部の周囲の少なくとも４分の３、いくつかの場合には着用者の頸部の周囲の少なくとも５分の４、及びいくつかの場合にはさらにいっそう（例えば、着用者の頸部の周囲の全体）に伸長する場合がある。
【００７１】
図８に示すカラー９０は、カラーの端部領域でカラーアセンブリに取り付けられるとして示されているが、結合はカラー９０の任意の点に沿って起こる場合がある。カラーアセンブリ９５は、ショルダーパッドアセンブリ１００に取り外し可能に結合できる、または恒久的に固着できる。カラー９０は、カラー９０の内面で突起（不図示）を組み込むことができる。一実施形態では、突起（不図示）は、頸部がカラーの中で左右に回転されるときに連続的な頸静脈圧力が印加されるように相対的に大きい。いくつかの実施形態では、突起は、着用者の頸部の静脈に対する圧力を変えるために調整可能である。いくつかの実施形態では、伸長部９７は、肩パッドアセンブリ１００と結合される。いくつかの実施形態では、突起（不図示）は、着用者の頸部の静脈に圧力を印加するために伸長部９７の内面に形成できる。いくつかの実施形態では、伸長部９７は、頸部の静脈の上に突起を適切に配置するために調整可能である場合がある。
【００７２】
図９は、震盪性事象への曝露の影響を削減するためのヘルメットの一部として実施されるシステムの例示的な図である。ヘルメット１０５は、フェースシールド１０７を含む場合がある、またはフルフェースデザインを含む場合がある。図９に示す実施形態では、単一の垂直伸長部１１０が、カラー１１５をヘルメット１０５の基部に結合する。代替構成では、カラー１１５は、通常カラー１１５の回りに対称的に配置される２つ、３つ、４つ以上の伸長部１１０によってヘルメット１０５に結合されてよい。カラー１１５は、カラー１１５の内面で複数の突起（不図示）を利用できる。突起（不図示）は、着用者の頸部の静脈に圧力を印加できる。図９に示すヘルメットデザインのいくつかの実施形態では、伸長部１１０は、ヘルメット１０５に取り外し可能に結合できる。他の実施形態では、カラー１１５は、伸長部１１０に取り外し可能に結合できる。他の実施形態では、伸長部１１０は、ヘルメット１０５に取り外し可能に結合でき、カラー１１５は伸長部１１０に取り外し可能に結合できる。いくつかの実施形態では、伸長部１１０は、カラー１１５の適切な設置を可能にするために長さで調整可能である。
【００７３】
図１０は、震盪性事象への曝露の影響を削減するための防護フェースシールド１２５の一部として実施されるシステムの例示的な図である。図１０に示す実施形態では、震盪症保護装置１２０は、ヘルメット１３０の保護フェースシールド１２５に結合できる。震盪症保護装置１２０は、近端部領域及び末端部領域を含んだ伸長部１３５を含む場合がある。近端部領域１４０は、任意の従来の方法でフェースシールド１２５に結合できる。末端部領域１４５は、着用者の頸部に圧力を印加するために突起（不図示）を有する場合がある。いくつかの実施形態では、伸長部１３５は、着用者のフィットのために調整できる。図１０は、本実施形態をフルフェースシールド及び透明なフェースシールド（例えば、プラスチック製）を有するとして示しているが、装置が、例えば標準的なフットボールヘルメット等のバー付きのフェースシールドを含んだ任意のスタイルのフェースシールドに適応され得ることが理解される。防護シールドアセンブリは、スキー、フットボール、ホッケー、またはラクロス等のフルフェースシールドを要するスポーツで使用できる。さらに、デザインは、フルフェースシールドデザインを使用し、警官によって利用できる。保護装置１２０は、フェースシールド１２５に取り外し可能にまたは恒久的に取り付けられてよい。
【００７４】
図１１は、図１０のシステムの側面図である。図１１に示すように、防護シールドは、ヘルメット１３０の防護フェースシールド１２５に結合された複数の震盪症保護装置１２０を有する場合がある。いくつかの実施形態では、伸長部１３５は、着用者のフィットのために調整できる。
【００７５】
図１２は、図１０のシステムの実施形態の正面図である。図１２では、ヘルメット１３０は、標準的なフットボールヘルメットである場合である。本実施形態では、伸長部１２０は、伸長部１２０の近端部領域１４０でヘルメット１３０のフロントグリルに取り外し可能に結合できる。伸長部１２０の末端部領域１４５は、着用者の頸部の静脈上に配置できる。突起（不図示）は、伸長部１２０の内面で結合でき、着用者の頸部の静脈に圧力を印加できる。いくつかの実施形態では、伸長部１２０は、着用者の適切なフィット及び快適感のために調整可能である場合がある。図１３は、図１２のシステムの外形図を示す。
【００７６】
図１４は、震盪性事象への曝露の影響を削減するための固定点から伸長するシステムの例示的な図である。図１４に示す実施形態では、保護カラー１６０は、伸長部１５５に結合できる。伸長部１５５は、固定点１５０に結合できる。固定点１５０は、ユーザーによって着用されるガーメントまたは他の装置に取り付けることができる。図１４に示す固定点デザインのいくつかの実施形態では、伸長部１５５は、固定点１５０に取り外し可能に結合できる。他の実施形態では、カラー１６０は、伸長部１５５に取り外し可能に結合できる。他の実施形態では、伸長部１５５が固定点１５０に取り外し可能に結合できるだけではなく、カラー１６０も伸長部１５５に取り外し可能に結合できる。いくつかの実施形態では、伸長部１５５は、カラー１６０の適切な設置を可能にするために長さで調整可能である。カラー１６０は、着用者の頸部の静脈に圧力を印加する複数の突起（不図示）を利用できる。いくつかの実施形態では、伸長部１５５は、着用者の頭部が回転できるようにするために可撓性プラスチック材料から製造できる。別の実施形態では、伸長部１５５は、被験者の頸部の（正面よりむしろ）後部に沿って配置され、カラー１６０は、咽頭隆起で開いている。
【００７７】
図１５は、震盪性事象への曝露の影響を削減するための固定点から伸長する非環状システムの例示的な図である。図１５に示す実施形態では、複数の震盪症保護装置１６５がガーメントと結合できる。一実施形態では、震盪症保護装置１６５は、末端部領域及び近端部領域を有する伸長部１７０を含む場合がある。近端部領域１７５は、着用者の頸部の静脈に圧力を印加するための突起（不図示）を含む場合がある。末端部領域１８０は、人により着用されるガーメント１７０または他の装置上の固定点と結合できる。いくつかの実施形態では、末端部領域１８０は、ガーメント１７０上の固定点と取り外し可能に結合できる。図１５に示すように、震盪症保護装置の対１６５は、着用者の頸部の片側で利用できる。いくつかの実施形態では、伸長部１７０は、異なる寸法を有する着用者用の装置の適切な設置に対応するために調整可能である場合がある。
【００７８】
図１６は、震盪性事象への曝露の影響を削減するための調整可能なハーネスで実施されるシステムの例示的な図である。一実施形態では、調整可能なハーネス１９０は、弾性材、非弾性材、または両方の組み合わせから構築された単一ストラップ１９５を含む場合がある。ストラップ１９５の端部領域は、調整可能なハーネス１９０が着用されるとき、着用者の頸部の片側に圧力を印加するための係合領域２００を含む場合がある。いくつかの実施形態では、係合領域２００は、着用者の頸部の静脈に圧力を印加するための突起（不図示）を含む場合がある。ストラップ１９５は、ストラップに位置する調整機構２１５を通して調整可能である場合がある。調整機構２１５は、着用者のサイズに対応するために任意の従来の方法でストラップ１９５を長くするまたは短くすることができる。いくつかの実施形態では、ストラップ１９５は、取り付け点２１０でクロスオーバーし、結合できる。図１６のハーネスのいくつかの実施形態では、ストラップ１９５を調整することは、着用者の頸部の静脈に印加される力を提供する。他の実施形態では、ストラップ１９５の弾性材は着用者の頸部に印加される力を提供する。ハーネス１９０のいくつかの実施形態では、取り付け点２１０は、それがユーザーの背中に対して配置されるように装置の後部に位置する。他の実施形態では、取り付け点２１０は、正面に配置される。さらに他の実施形態では、ハーネス１９０は、１つは正面にあり、１つは後部にある２つの取り付け点２１０を有する。
【００７９】
図１７は、人によって着用されるとしての図１６の例示的なシステムの背面図である。いくつかの実施形態では、取り付け点２１０の位置は、着用者のサイズに対応するために調整できる。いくつかの実施形態では、水平ストラップ１９８は、弾性材を含む場合がある。
【００８０】
図１８は、人によって着用されている図１６の例示的なシステムの正面図である。図１８に示すように、係合領域２００は、人の頸部の領域の上で定位置にある。実施形態では、従来の結合装置（例えば、バックル）等の結合機構２２０は、ストラップ１９５の２つの部分を互いに取り外し可能に結合するために使用できる。
【００８１】
図１９は、震盪性事象への曝露の影響を削減するための重み付きの逆向きカラーシステムで実施されるシステムの例示的な図である。図１９に示す実施形態では、ストラップ２２５は、重み付きの結合装置２３０に取り付けることができる。ストラップ２５５は、複数の弾性材及び非弾性材から構築できる。着用者の体に最も近いストラップ２２５の側面は、重み付きの逆向きカラーが着用されるとき、着用者の頸部の片側に圧力を印加するための係合領域を含む場合がある。いくつかの実施形態では、ストラップ２２５の内側は、着用者の頸部の静脈に圧力を印加するための突起（不図示）を含む場合がある。いくつかの実施形態では、ストラップ２２５の長さは、着用者のサイズに対応するために調整できる。重み付きの結合装置２３０は、装置の残りの構築と一致する頸静脈に所望される圧力を印加するために適切な質量を有する。重み付きの結合装置は、約０．２５、０．５、０．７５、１．０、１．５、２．０、２．５、３．０ポンド以上の重さである場合がある。
【００８２】
図２０は、震盪性事象への曝露の影響を削減するためのサスペンダで実施されるシステムの例示的な図である。図２０に示す実施形態では、震盪症保護装置２４５はサスペンダ２４０に結合できる。一実施形態では、震盪症保護装置２４５は、着用者の頸部の静脈に圧力を印加するための突起（不図示）を含む場合がある。いくつかの実施形態では、サスペンダの伸縮素材は、着用者の頸部の静脈に圧力を印加するために震盪症保護装置２４５に力をかけることができる。いくつかの実施形態では、伸長部２４７は、サスペンダ２４０に結合できる。いくつかの実施形態では、震盪症保護装置２４５はバックパック（不図示）のストラップに結合できる。
【００８３】
図２１は、震盪性事象への曝露の影響を削減するためのガスマスクで実施されるシステムの例示的な図である。図２１に示すシステムでは、ガスマスクは、震盪性事象への曝露の影響を削減するための機能を取り込むために改良できる。プルストリング２６５は、ガスマスク２６０の係合領域２７０に取り付けることができる。係合領域２７０は、ガスマスクの着用者の頸部の静脈の上に配置できる。ストリング２６５を顔から下方へ引き下げると、ガスマスク２６０の係合領域２７０に圧力を加えることができる。いくつかの実施形態では、係合領域２００は、着用者の頸部の静脈に圧力を印加するための突起（不図示）を含む場合がある。いくつかの実施形態では、ストリング２６５は、係合領域２７０に対する圧力を緩和するために解放できる。
【００８４】
図２２は、震盪性事象への曝露の影響を削減するためのヘアバンドで実施されるシステムの例示的な図である。図２２に示す実施形態では、ヘアバンド２７５は、ヘアバンドの末端部領域に係合領域２８０を有する場合がある。ヘアバンド２７５の固有の弾性は、着用者の頸部の静脈に圧力を印加できる。いくつかの実施形態では、ヘアバンド２７５は、着用者の頭部でバンドを安定化させるために第３の脚２８５を有する場合がある。第３の脚２８５は不連続であってよく、１つがヘアバンド２７５の片側に配置され、頭部の後部の回りに伸長する。代わりに、第３の脚２８５は連続し、それによってヘアバンド２７５に第２のバンドを形成してよい。ヘアバンド２７５実施形態は、チアリーディング等の女性のスポーツで役に立つ場合がある。ヘアバンド２７５は、消費者の願望を満たすために、種々のスタイル、色、幅で製造できる。
【００８５】
図２３Ａは、震盪性事象及び／または大きい音（例えば、音楽）または爆風によって引き起こされる内耳に対する損傷への曝露の影響を削減するためのヘッドバンドで実施されるシステムの例示的な図である。図２３Ａは、着用者の額にのるように構成されたヘッドバンド２８５の実施形態を示す。図２３Ｂは、着用者の頭部の上部にのるヘッドバンドの実施形態を示す。図２３に示す実施形態では、複数の伸長部２８７がヘッドバンド２８５と結合できる。ヘッドバンドは、伸長部２８５を人の頸部の静脈の上に適切に配置された状態に保つために着用できる。いくつかの実施形態では、ヘッドバンドは、変形した形状を保持する可撓性の「ガンビーのような」材料から構築できる。係る材料は、ゴム引きコーティングに包み込まれた形状記憶金属合金を含む場合がある。ヘッドバンド部２８９では、固有の柔軟なデザインが見られる。いくつかの実施形態では、伸長部は、着用者の頸部の静脈に圧力を印加するための突起２８８を含む場合がある。
【００８６】
図２３Ｃは、ヘッドバンドの長さを少なくとも１つの調整機構２８３を通して調整できる図２３Ａのヘッドバンド２８５の実施形態を示す。調整機構は、ヘッドバンド２８５の長さを増加または減少させるために任意の従来の装置を含む場合がある。図２３Ｃでは、調整機構２８３は、摺動可能なバーを含む。図２３Ｄは、ヘッドバンドの長さを少なくとも１つの調整機構２８３を通して調整できる図２３Ｂのヘッドバンド２８５の実施形態を示す。調整機構は、ヘッドバンド２８５の長さを増加または減少させるために任意の従来の装置を含む場合がある。図２３Ｄでは、調整機構２８３は摺動可能なバーを含む。
【００８７】
図２４は、震盪性事象への曝露の影響及び／または大きい音（例えば、音楽）もしくは爆風によって引き起こされる内耳に対する損傷を削減するためのヘッドフォンで実施されるシステムの例示的な図である。図２４に示す実施形態では、ヘッドフォン２９０は、震盪症防止装置２９５を含む場合がある。震盪症防止装置２９０は、ヘッドフォンから伸長する圧力アーム３００を有するヘッドフォン２９５に結合できる。いくつかの実施形態では、ヘッドフォン２９５は、着用者の頸部の静脈の上の位置に圧力アーム３００を回転させるためにダイヤル３０５を含む場合がある。圧力アーム３００は、圧力アーム３００の末端部に係合領域３０６を有する場合がある。いくつかの実施形態では、伸長部は、着用者の頸部に圧力を印加するための突起（不図示）を含む場合がある。
【００８８】
図２５は、震盪性事象への曝露の影響を削減するためのカラー装置で実施される統合電子機器を有するシステムの例示的な図である。図２５に示す実施形態では、カラー３１０は、１つ以上の電子機器３１５を含む場合がある。電子機器３１５は、以下、つまりカメラ、発光ダイオード（ＬＥＤ）ライト、近接センサ、光受容体、フィットチェックライト、またはストロボライトのうちの少なくとも１つを含む場合がある。背面カメラは、後方から近づいてくる交通をランナーまたはサイクリストに警告できる。ＬＥＤフラッシュは、着用者が加速度計の測定により高衝撃力を持続しているときにコーチに警告するために使用できる。また、ＬＥＤは、サイクリング及びランニングのために着用者の可視性を増すために使用することもできる。また、ＬＥＤは、タッチインタッチ（ｔｏｕｃｈ  ｉｎ  ｔｏｕｃｈ）フットボールを示すために使用できる。電子機器は、プレーヤーの位置決めまたはプレースメントを決定するために使用することもできる。
【００８９】
電子機器３１５は、アクティビティトラッカー、ジャイロスコープ、周囲光センサ、光心拍センサ、高度計、及び加速度計を含む場合がある。他の電気機器は、心拍数モニタ、呼吸モニタ、酸素レベルセンサ、ステップカウンタ、距離計、グローバルポジショニングセンサ、及び速度計を含む場合がある。また、電子機器は、ヘッドフォンまたはスピーカを含む場合もある。他の任意選択の電子機器は、リズムに合わせたトレーニングのための振動メトロノームを含む場合がある。また、電子機器は、近接警報として振動警報を提供する、着用者に入信テキストメッセージを通知する、またはアラームもしくはラップインジケータを提供する場合もある。電子機器３１５は、チームスポーツ、ロードサイクリング、またはランニングに使用できる。
【００９０】
また、電子機器３１５は、ユーザーインタフェースモジュール、処理装置、メモリデバイス、通信装置、アンテナ、及び統合電源を含む場合がある。統合電源は、（充電式電池を含む）電池、太陽光発電の電源、または運動生成電源（発電機）を含む場合がある。統合電源は、カラー装置３１０に組み込まれたすべてのまたは選択された電子機器３１５に電力を供給できる。
【００９１】
いくつかの実施形態では、カラー装置３１０は、ダイビング、スイミング、シュノーケリング、水球、サーフィン、スキー、または水面との衝撃もしくは水体の中での着用者の深さと関連する圧力に関連付けられた任意の水に関係する活動等のマリンスポーツを改善または強化できる。したがって、カラー装置及び電子機器は、電子機器コンパートメントの中への水の進入を妨げるために密封できる。
【００９２】
電子機器は、軍による使用にも適応できる。センサは、着用者のバイオメトリクスを測定し、報告するために組み込むことができる。また、電子機器は、通信にも使用できる。電子機器は、ブルーフォーストラッカーとしてまたは着用者の位置追跡のために使用できる。
【００９３】
電子機器は、他の組み込まれた特徴とともに熱治療、伝達、または衣類の冷却を提供する。いくつかの実施形態では、カラーは、発汗制御のための特徴を組み込むことができる。他の実施形態では、カラーは、片頭痛管理のため等、疼痛管理のために皮膚伝達鎮痛薬を提供できる。
【００９４】
図２６は、震盪性事象への曝露の影響を削減するためのカラー装置で実施される統合電子機器を有するシステムの別の例示的な図である。図２６に示す実施形態は、カラー３２５に取り付けることができる統合電子機器コンパートメント３２０の接写図を提供する。コンパートメント３２０は、統合電子機器用の電源を収容することもできる。
【００９５】
図２７は、震盪性事象への曝露の影響及び／または大きい音（例えば、音楽）または爆風によって引き起こされる内耳に対する損傷を削減するために音響システムに組み込まれるシステムの例示的な図である。図２７に示す実施形態では、装置３３０は、着用者と通信するためにスピーカ３３５を組み込むことができる。いくつかの実施形態では、伸長部３３５は、装置３３０を利用する双方向通信を可能にするためにマイクを含む場合がある。
【００９６】
図２８は、震盪性事象への曝露の影響を削減するための調節可能なカラー装置の例示的な図である。図２８に示す実施形態では、カラー３４０は、任意の剛体材料または形状記憶材料（例えば、熱可塑性ポリマー、ステンレス鋼、ニッケル−タンタル（ＮｉＴｉ）合金）から構成できる。一実施形態では、カラー３４０は、快適さのために及び内側の核を保護するためにポリマー（例えば、熱可塑性ポリマー）で覆われた金属または二元金属の中心（例えば、形状記憶合金）を含む。突起を含んだ１つ以上（例えば、２つ）の圧力パッドモジュール３４５がカラー３４０と摺動可能に結合できる。任意選択で、圧力パッドモジュール３４５は、カラー３４５に恒久的に固着できるが、カラー３４５と摺動可能に係合されたままである場合がある。代わりに、圧力パッドモジュール３４５は、例えば、清掃または交換を容易にするために、カラーと取り外し可能に係合されてよい。圧力パッドモジュール３４５は、柔らかいシリコンタイプの材料から構築できる。圧力パッドモジュール３４５は、それが頸静脈の上にある領域でカラー３４５の厚みを表すように、その体に向かう表面で実質的に均一な厚さを有してよい。代わりに、圧力パッドモジュール３４５は、標的頸静脈にかかる圧力を局所化するように適応された内向きに向けられた突起３４６を含んでよい。突起３４６は、圧縮性または非圧縮性であってよいスタッドまたは他の隆起領域であってよい。任意選択で、圧力パッドモジュール３４５は、突起３４６の下にあり、突起３４６に内向きの（体の方向で）圧力をかけるように適応されたばねまたはばねのような装置を含む。ユーザーによって着用されるとき、ばねは、標的頸静脈（複数可）に対する突起３４６圧力を維持するために圧迫される。代わりに、突起３４６はそれ自体、例えば体に面する方向で凸状の曲げを有する滑らかな金属バンドから成るばねであってよい。圧力パッドモジュール３４５の位置は、カラー３４０上の切欠きまたは穴３５０と係合する圧力パッドモジュール３４５で位置決めラッチ凹み（不図示）を使用し、カラー３４０に沿って調整されてよい。図２８に示す戻り止め及び切欠きは、カラー３４０上で圧力パッドモジュール３４５を定位置に保持するように適応された任意の適切な可逆係止機構と交換されてよいことが理解される。一実施形態では、本発明は、カラー３４０及び複数の対の圧力パッドモジュール３４５を含んだシステムを提供し、圧力パッドモジュール３４５の各対は、他の対に対して、異なるサイズの及び／または異なる形状の突起を有する。係るシステムは、被験者がカラーのフィット及び印加された頸静脈圧力をカスタマイズできるようにする。
【００９７】
図２９は、震盪性事象への曝露の影響を削減するためのカラー装置の中に統合された調整可能な／摺動可能な圧力パッドの例示的な図である。図２９に示す実施形態は、カラー３４０に設置された圧力パッドモジュール３４５を示す。本実施形態では、圧力パッドモジュールは、所望される位置に圧力パッドモジュール３４５を保持するためのラッチ凹み及び類似した機構を任意選択で有するカラー３４０の内側の溝で摺動可能に係合する。係るシステムは、被験者が、頸静脈が適切に接触されていることを保証するために、カラーに対する圧力パッドモジュール３４５の位置決めを調整できるようにする。
【００９８】
図３０及び図３１は、図２８〜図２９に示す圧力パッドモジュール３４５と組み合わせて使用され得る調整可能な突起３４６または本明細書で説明される本発明の任意の他の実施形態を示す。調整可能な突起３４６は、プラスチック、ナイロン、または金属等の可撓性材料から形成されたバンドである。バンドの一端は、ストラップ３５５上の定位置に恒久的にまたは可逆的に固定される。バンドの他端は、摺動可能かつ可逆的に係止可能にストラップ３５５と係合する開口部３６５を含む。例えば、開口部３６５は、ＺＩＰ  ＴＩＥに類似するストラップ３５５内の切欠きと係合するタブ３５７を含んでよい。開口部３６５を含んだバンド端部が固定された端部の方向で移し替えられると、突起３４６を画定するループの高さが増す。本発明のカラー装置に適用されるとき、この突起３４６は、より扁平な構成（つまり、固定バンド端と摺動可能のバンド端との間により大きい距離を有する）で突起３４６よりも大きい頸静脈圧力を印加する。
【００９９】
図３２は、震盪性事象への曝露の影響を削減するための調整可能なカラー装置の図の例示的な平面図である。図３２に示す実施形態では、カラー３６５は、カラー３６５のサイズを調整する、及び／またはカラーの圧力点を増加もしくは調整するために複数の調整ストラップ３７０を含む場合がある。ストラップ３７０は、引張り、解放し、フックアンドループ、スナップボタン戻り止め、または他の類似する方法（不図示）を使用して所望される位置に保持することができる。図３２に示す矢印は、カラー３６５のサイズを調整する、及び／またはカラーの圧力点を増加もしくは調整するためにストラップ３７０をどのようにして移動できるのかを示す。図３２に示す実施形態では、ストラップ３７０は、着用者の頸部の静脈に圧力を提供する。
【０１００】
図３３は、カラー４６０上で調整可能な突起４６５を作り出すための別のシステムの例示的な図である。本実施形態では、突起４６５は、本明細書の他の箇所で説明するように（例えば、図３０〜図３１を参照すること）可撓性材料から形成される。突起４６５は、各端部で係合部材４７０を介してカラー４６０と直接的に係合される。任意選択で、一方の係合部材４７０はカラー４６０に固定され、他方の係合部材４７０は摺動可能に取り付けられる。代わりに、係合部材４７０の両方ともカラー４６０に摺動可能に取り付けられる。係合部材４７０の摺動可能の取り付けは、カラー４６０上の定位置に係合部材を可逆的に保持する。係合部材４７０は、カラー４６０上の切欠きまたは穴と係合する戻り止めまたはタブを含んでよい。任意の適切な可逆的に係止する機構またはシステムが使用され得ることが理解される。使用時、係合部材４７０間のカラー４６０に沿った線形距離が削減されるにつれ、突起４６５の高さは、体に面する方向で増し、それにより標的頸静脈により多くの圧力を印加する。
【０１０１】
図３４は、震盪性事象への曝露の影響を削減するためのダイヤル力調整機構の例示的な図である。図３４に示すカラー３８０では、力セレクタダイヤル３８５は、圧力パッド３９０にかかる力を調整するために使用できる。一実施形態では、ダイヤル３８５を回すと、内部ピストン（不図示）がばねに対して移動し、体に面する方向で圧力パッド３９０を引き伸ばす。ダイヤル３８５を反対方向に回すと、張力が削減されるだろう。代わりに、圧力パッド３９０は、ダイヤル３８５を回すことがネジを回転させ、それによって圧力パッド３９０を頸部に向かってまたは頸部から離れて動かすように機械的なネジに取り付けられてよい。
【０１０２】
図３５は、震盪性事象への曝露の影響を削減するためのスライダ力調整機構の例示的な図である。図３５に示すカラーでは、力セレクタスライダ４００は、圧力パッド４０５に対する圧力を増すために使用できる。一方向でスライダ４００を移動させると、カラー４１０の中心に向かって内向きに圧力パッド４０５を移動させ、パッド４０５にかかる圧力を増す。スライダ４００を反対方向で移動させると、カラー４１０の中心から離れて外向きに圧力パッド４０５を移動させ、パッド４０５にかかる圧力を削減する。
【０１０３】
図３６は、体に面する表面上の接着剤及び震盪性事象への曝露の影響を削減するための可逆伸長機構に取り付けられた突起を有するストリップ（非カラー装置）で実施されるシステムの側面図の例示的な図である。図３６に示す実施形態では、ストリップ４１５は、頸部の静脈上に設置できる。保護（つまり、頸部静脈圧力）が所望されるとき、頸部の静脈に対して埋め込まれた突起を押すストリップ４１５のボタン４２５が係合される。保護がもはや必要ではないとき、ボタン４２５は、再び押し、それによって頸の静脈に対する圧力を解除できる。いくつかの実施形態では、ボタン４２５は、装置が係合されるのか、または解除されるのかを視覚的に容易に検証するために色付きのバンド４３０を有する場合がある。
【０１０４】
図３７は、震盪性事象への曝露の影響を削減するためのストリップで実施されるシステムの正面図の例示的な図である。図３７は、着用者の頸部に配置されたストリップ４１５の対を示す。ストリップ４１５は、着用者の静脈の上に配置でき、プッシュボタン４２５は、震盪性事象が起こり得るとき突起を係合できる。例えば、フットボールのゲームで、プレーヤーはストリップ４１５を着用し、フィールドに入る直前に、プッシュボタン４２５を係合し、それによって着用者の頸部の静脈で圧力を上げることができる。
【０１０５】
図３８は、ストリップ４１５の外形図を示す。図３８は、展開位置４３５の突起及び格納位置４３６の突起を示す。突起は、所望されるように、突起を引き伸ばし、引っ込めるために使用されるプッシュボタン型リリースでばねを用いて力を与えることができる。
【０１０６】
図３９は、体に面する面に接着剤を有する可撓パッド４１５を示す。パッド４１５は、着用者の頸部の静脈の上に配置できる。接着剤は、着用者の頸部の静脈の上で定位置にパッドを保持するためにパッド４１５の片側に事前に塗布できる。可撓パッド４１５の皮膚上の設置は、皮膚をきつく引っ張り、それによりユーザーの頸部の静脈に対する圧力を上げることができる。さらに、剛性部４３７は、ユーザーの頸部に対する圧力をさらに上げるためにパッド４１５に追加できる。パッド４１５は、保護の増加が所望されるときに頸部の上に配置でき、震盪性事象からの保護を要する活動が完了するとき、取り外すことができる。
【０１０７】
図４０は、自動接着性可撓パッド４１５の別の実施形態を示す。パッド４１５は、着用者の頸部の静脈の上に配置できる。接着剤は、着用者の頸部の静脈の上で定位置にパッドを保持するためにパッド４１５の片側に事前に塗布できる。図４０に示す実施形態は、着用者の頸部の上での可撓パッドの設置を調整するための調整可能な層を組み込む。平らなポケット４４１が可撓パッド４１５に統合された可撓パッド４１５の別の実施形態は、図４０に示す。取り外し可能のインサート４４３は、着用者の頸部の静脈に対する圧力を上げるために平らなポケット４４１の中に置くことができる。取り外し可能のインサート４４３は、着用者の頸部の静脈に対する圧力を調整するために複数の異なるサイズで製造できる。
【０１０８】
図４１は、補剛ストリップ４４５を組み込んだ自動接着性可撓パッド４１５の別の実施形態を示す。補剛ストリップ４４５は、着用者の頸部の静脈に対する圧力を上げるために押すことができる（形状記憶合金等の）可撓性材料から成る場合がある。パッド４１５は、保護増加が所望されるときに頸部に配置することができ、震盪性事象からの保護を要する活動が完了するとき、取り外すことができる。
【０１０９】
図４１は、フィットチェックインジケータ４４７を取り込んだ自動接着性可撓パッド４１５の別の実施形態も示す。可撓性パッド４１５が適切に配置されるとき、フィットチェックインジケータ４４７は、パッド４１５が定位置にあり、係合している旨の視覚的な確認を提供する。いくつかの実施形態では、視覚的な確認は、パッド４１５が適切に配置されるときインジケータボタンを表示させることによって達成できる。
【０１１０】
図４２は、調整可能なサイズ及び快適さのための取り外し可能の先端４５１を有するカラー装置４４９の実施形態を示す。図４２に示すカラー装置４４９は、着用者の頸部を取り囲む開放カラー構成である。先端４５１は、カラー装置４４９の近端部及び末端部と結合できる。先端４５１は、異なるサイズで製造し、異なる材料で構築できる。着用者の頸部の静脈に対する圧力は、カラー装置４４９に結合された先端４５１のサイズを変更することによって調整できる。
【０１１１】
図４３は、震盪性事象への曝露の影響を削減するための調整可能な閉鎖カラーを組み込んだシステムの詳細図である。図４３に示す実施形態では、カラー４８５は、拡張型弾性ゾーン４９０を有するシームのない織物から構築できる。カラー４８５は、硬い非拡張ゾーン４９５を含む場合もある。いくつかの実施形態では、非拡張ゾーン４９５は、着用者の頸部の静脈に圧力を印加するための突起（不図示）を含む場合がある。カラー４８５は、快適なまま着用者の頸部の静脈の上方の領域に圧力を印加できる。
【０１１２】
図４４は、部分的に環状のカラー５００の中心コア５００を示す。コア５００は、ばね状の特性を有する弾力材（例えば、プラスチックまたは形状記憶合金）から作られる。アーム５１０は、ヒンジ５２０によってコア５００の各端部に取り付けられる。部分的に環状のカラー５００に組み込まれるとき、突起（不図示）は、アーム５１０に配置される。ヒンジ５２０は、閉鎖構成及び開放構成を有するように適応される。閉鎖構成では、ヒンジ５２０は、アーム５１０、従って突起（不図示）が着用者の頸部の静脈に対して位置決めされるように係止される。開放位置では、アーム５１０は被験者の頸部から揺れて離れ、それによって頸静脈の圧力を解放する。この構成は、スポーツ設備において等、間欠使用向けである装置にとって有利である。頸静脈圧力は、カラー５００を着用し、取り外す必要性なく印加されてよい、または解放されてよい。これは、カラー５００または他の圧力印加装置が、頸静脈圧力ほど頻繁に間欠的に取り外されることが意図されていない固定点に取り付けられる（例えば、ショルダーパッド等の保護具の部分）とき、特に有用である。また、ヘッドギアが着用されるまたは取り外されるとき突起は頸部から離して位置決めでき、それによって便利さを増し、突起及び関連構造に対する損傷の可能性を減少させるため、このシステムは、本明細書に説明された種々のヘッドギア実施形態に組み込まれるときにも役立つ。
【０１１３】
図４５は、震盪性事象への曝露の影響を削減するための調整可能ストラップを示す。図４５に示す実施形態では、ストラップ５４０は、ストラップ５４０の近端部領域及び末端部領域で巻き上がる場合がある。近端部領域及び末端部領域は、ロール５５０を維持できる。ロール５５０は、ユーザーの頭部に配置させるとき、着用者の頸部の静脈に圧力をかける。ストラップは、端部領域が新規に構成された形状を調整し、維持することができるようにするために種々の材料から構築できる。端部領域は、装置のサイズを調整し、それによって１つのサイズが、適切なフィットを達成するために必要に応じて、ストラップ５４０の必要とされる長さ、近端部領域及び末端部領域を丸めるまたは解くことによってすべてにフィットできるようにするために解かれてよい。
【０１１４】
図４６は、震盪性事象への曝露の影響を削減するための可撓性ネックラップ５６０を示す。図４６に示す実施形態では、ネックラップ５６０は、頸部の静脈にかかる圧力を上げるために着用者の頸部の回りで巻き付けることができる。いくつかの実施形態では、可撓性ネックラップ５６０は、頸部の静脈での圧力をさらに増加させるために突起（不図示）を組み込むことができる。他の実施形態では、可撓性ネックラップは、着用時、頸部の静脈にかかる圧力を上げるために剛性領域を含む場合がある。
【０１１５】
開示されている実施形態は、種々の修正及び代替形式の影響を受けやすく、その具体的な例は図面で一例として示され、本明細書に詳細に説明されてきた。しかしながら、開示される実施形態が、開示されている特定の形式または方法に制限されることを意図しているのではなく、逆に開示されている実施形態は、すべての修正、同等物、及び代替物をカバーすることが理解されるべきである。
【０１１６】
以下、本発明の好ましい実施形態を項分け記載する。
【０１１７】
実施形態１
システムにおいて、
（ｉ）ヒトの頸部の回りに着用されるサイズで作られ、咽頭隆起で開く部分的に環状のカラー装置であって、前記カラーが、着用時、前記頸部に内向きの圧力を印加するように適応される、前記部分的に環状のカラー装置と、
（ｉｉ）前記カラー装置に可逆的に取り付けられるように適応された少なくとも１対の圧力パッドモジュールであって、各圧力パッドモジュールの少なくとも一部分が、体に面する方向で前記カラーから伸長する、前記少なくとも１対の圧力パッドモジュールと
を備える、前記システム。
【０１１８】
実施形態２
前記カラーが、形状記憶材料を備える、実施形態１に記載のシステム。
【０１１９】
実施形態３
前記システムが、２つ以上の対の圧力パッドモジュールを備える、実施形態１または２に記載のシステム。
【０１２０】
実施形態４
前記各パッドモジュールが内向きに向く突起を備える、実施形態１から３のいずれか１つに記載のシステム。
【０１２１】
実施形態５
前記内向きに向く突起の形状が調整可能である、実施形態４に記載のシステム。
【０１２２】
実施形態６
前記突起が膨張可能である、実施形態５に記載のシステム。
【０１２３】
実施形態７
前記突起が弾力性の変形可能なバンドを備える、実施形態４に記載のシステム。
【０１２４】
実施形態８
前記圧力パッドモジュールが、前記カラーに摺動可能に係合している、実施形態１から７のいずれか１つに記載のシステム。
【０１２５】
実施形態９
カラーが内頸静脈、外頸静脈、または両方に圧力を印加するサイズに作られる、実施形態１から８のいずれか１つに記載のシステム。
【０１２６】
実施形態１０
前記頸部に係る前記内向き圧力が約１０〜８０ｍｍＨｇである、実施形態１から９のいずれか１つに記載のシステム。
【図１】
2019513030.tif 000003
【図２】
2019513030.tif 000004
【図３】
2019513030.tif 000005
【図４】
2019513030.tif 000006
【図５】
2019513030.tif 000007
【図６】
2019513030.tif 000008
【図７】
2019513030.tif 000009
【図８】
2019513030.tif 000010
【図９】
2019513030.tif 000011
【図１０】
2019513030.tif 000012
【図１１】
2019513030.tif 000013
【図１２】
2019513030.tif 000014
【図１３】
2019513030.tif 000015
【図１４】
2019513030.tif 000016
【図１５】
2019513030.tif 000017
【図１６】
2019513030.tif 000018
【図１７】
2019513030.tif 000019
【図１８】
2019513030.tif 000020
【図１９】
2019513030.tif 000021
【図２０】
2019513030.tif 000022
【図２１】
2019513030.tif 000023
【図２２】
2019513030.tif 000024
【図２３Ａ】
2019513030.tif 000025
【図２３Ｂ】
2019513030.tif 000026
【図２３Ｃ】
2019513030.tif 000027
【図２３Ｄ】
2019513030.tif 000028
【図２４】
2019513030.tif 000029
【図２５】
2019513030.tif 000030
【図２６】
2019513030.tif 000031
【図２７】
2019513030.tif 000032
【図２８】
2019513030.tif 000033
【図２９】
2019513030.tif 000034
【図３０】
2019513030.tif 000035
【図３１】
2019513030.tif 000036
【図３２】
2019513030.tif 000037
【図３３】
2019513030.tif 000038
【図３４】
2019513030.tif 000039
【図３５】
2019513030.tif 000040
【図３６】
2019513030.tif 000041
【図３７】
2019513030.tif 000042
【図３８】
2019513030.tif 000043
【図３９】
2019513030.tif 000044
【図４０】
2019513030.tif 000045
【図４１】
2019513030.tif 000046
【図４２】
2019513030.tif 000047
【図４３】
2019513030.tif 000048
【図４４】
2019513030.tif 000049
【図４５】
2019513030.tif 000050
【図４６】
2019513030.tif 000051
【国際調査報告】
2019513030.tif 000052
2019513030.tif 000053